(57)【要約】【課題】従来の食品包装用ラップフィルム用の詰替容器には、蓋体開閉時、掻き上げられたフィルムの切り口が露出したロールに張り付いて固着することがあるという問題や、サイドキャップの構成が複雑で成型と組み立てがしにくいという問題、回転圧板が巻芯のサイズによっては対応し切れないことがあるという問題、粘着部に張り付いた切り口がつまみ取りにくいという問題があった。【解決手段】掻き上げられたフィルムの切り口がロールに固着する問題は、長手方向から見たフィルム引き出し口の幅をできるだけ狭めることで解決でき、サイドキャップの成型と組み立てのしにくさは、サイドキャップ自体を外殻部とバヨネット盤に２分することで、回転圧板の問題は、該バヨネット盤にスペーサーを兼ねさせることで、切り口のつまみ取りにくさは、帯状の粘着部を小突起状の粘着部に変えることで解決できる。【選択図】図１
2013193792.tif 000002
【特許請求の範囲】
【請求項１】
巻回された食品包装用ラップフィルムを回転自在に収納する円筒状本体の上面と前面をエプロン部と曲面体からなる中折れ式蓋体で開閉自在に覆い、両端を回転圧板を有するバヨネット式のサイドキャップで開閉自在に閉じ、焼き入れリボンの切片からなるＡＢ対をなす切断具の切断具ＡをＸ字状に形成してエプロン部裏面に、切断具Ｂを横一直線状に形成して本体前面上部の曲面部に設け、上記中折れ式蓋体を介して切断具Ａをその回転方向と回転半径を変化させながら回動させることによって、対向して噛み合う切断具ＡＢの稜角同士を連続して点的に接触させ、以て、両者間に引き出されたフィルムを挟み切ることを特徴とする食品包装用ラップフィルム用の詰替容器（特許文献１参照）において、長手方向から見たフィルム引き出し口の幅を蓋体牽引部と中折れ部丁番の抵触する部分を除いてできるだけ狭め、従来の回転圧板を廃してサイドキャップを外殻部とバヨネット盤に２分して成型し、該バヨネット盤の片面に適度の厚みを持たせてスペーサーを兼ねさせ、前縁中央の円弧状切り欠きの両側に小突起状の粘着部を設けてなる食品包装用ラップフィルム用の詰替容器。
【発明の詳細な説明】
【技術分野】
【０００１】  本発明は切断具に焼き入れリボンを用いた食品包装用ラップフィルム用の詰替容器に関する。
【背景技術】
【０００２】  従来の切断具に焼き入れリボンを用いた食品包装用ラップフィルム用の詰替容器には、サイドキャップをバヨネット式として回転圧板とロックレバーとフレキシブル丁番を内蔵したものがある（特許文献１参照）。【０００３】  以下、図５〜図８により、従来の切断具に焼き入れリボンを用いた食品包装用ラップフィルム用の詰替容器について説明する。１′は巻回された食品包装用ラップフィルムを回転自在に収納する円筒状の本体で、フィルム引き出し口３′を設けた上面と切断具Ｂ５０ｂ′を設けた前面をエプロン部４０′と曲面体からなる中折れ式蓋体４７′で開閉自在に覆い、両端を回転圧板３５′とロックレバー２６′とフレキシブル丁番３０′を内蔵したバヨネット式のサイドキャップ２０′で開閉自在に閉じ、焼き入れリボンの切片からなるＡＢ対をなす切断具の切断具Ａ５０ａ′をＸ字状に形成してエプロン部４０′裏面に、切断具Ｂ５０ｂ′を横一直線状に形成して本体１′前面上部の曲面部に設け、上記中折れ式蓋体４７′を介して切断具Ａ５０ａ′をその回転方向と回転半径を変化させながら回動させることによって、対向して噛み合う切断具ＡＢ５０ａ′、５０ｂ′の稜角同士を連続して点的に接触させ、以て、両者間に引き出された食品包装用ラップフィルムを挟み切るようにしている。【０００４】  そして、上記フィルム引き出し口３′はフィルムが引き出しやすいように、また、蓋体牽引部４３′や中折れ部丁番４９′が抵触しないように、長手方向から見た幅を全長に亘って広くとり、特に前面から見た中央部前後の縁は蓋体牽引部４３′が抵触しないよう大きく円弧状に切り欠き、正面から見て手前側の縁にはフィルムの切り口を固定するための帯状の粘着部１３′が設けてある。【０００５】  サイドキャップ２０′は外殻部２８′と円環部２１′とバヨネットリング２２′と回転軸２４′を一体に成型し、Ｕ字形の軸穴を有するロックレバー２６′の先端部を円環部２１′の頂点に設けた幅狭の開口部２５ａ′に通し、長円形の軸穴を有するフレキシブル丁番３０′の先端部を底辺に設けた幅広の開口部２５ｂ′に通してから、各々の軸穴を回転軸２４′に嵌め込み、スペーサー３７′と回転圧板３５′で回転自在に係止している。
【先行技術文献】
【特許文献】
【０００６】
【特許文献１】  特許第４５４７６９２号
【発明の概要】
【発明が解決しようとする課題】
【０００７】  以上に述べた切断具に焼き入れリボンを用いた従来の食品包装用ラップフィルム用の詰替容器においては、蓋体開閉時、エプロン部に掻き上げられたフィルム切り口が、時として、フィルムが引き出しやすいように、長手方向から見た幅を広くとった引き出し口に露出したロールに固着して剥がしにくくなるという問題や、サイドキャップの構成が複雑で成型や組み立てがしにくいという問題、回転圧板が巻芯の径の異なる一部の銘柄に対応し切れないという問題、粘着部に張り付いたフィルム切り口がつまみ取りにくいという問題があった。【０００８】  本発明はこのような従来の構成が有していた問題を解決しようとするものであり、掻き上げられたフィルムの切り口が露出したロールに固着するのを防止するとともに、サイドキャップの構成を簡略化して成型と組み立てをしやすくし、巻芯の径の太さに左右されないロールの収納方法と、切り口がつまみ取りやすい粘着方法を採用して、使いやすさと耐久性を向上させた食品包装用ラップフィルム用の詰替容器を実現することを目的とするものである。
【課題を解決するための手段】
【０００９】  そして、本発明は上記の第１の目的を達成するために、蓋体牽引部や中折れ部丁番が抵触する部分を除いて長手方向から見たフィルム引き出し口の幅をできるだけ狭め、第２の目的を達成するために、サイドキャップを外殻部とバヨネット盤に２分して成型し、第３の目的を達成するために、回転圧板に代えて上記のバヨネット盤の片面に適度の厚みを持たせ、第４の目的を達成するために、半球形又は円盤形の小突起からなる粘着部を採用したものである。【００１０】  上記第１の課題解決手段による作用は次の通りである。すなわち、一部を除いてフィルム引き出し口が狭められているので、蓋体開閉時、エプロン部に掻き上げられたフィルムは開口部に橋渡し状態となって、露出したロールに接触できなくなる。また、第２の課題解決手段によって、サイドキャップ円環部の頂点と底辺に設ける幅狭と幅広の開口部を、断面形状コの字形の切り欠きとして構成することが可能となり、第３の課題解決手段によって、バヨネット盤にスペーサー機能が付与され、第４の解決手段によって、点的に固定されたフィルムの切り口がその点を軸に掻き上げられてほぼ直立状態となる。
【発明の効果】
【００１１】  上述したように、本発明の食品包装用ラップフィルム用の詰替容器は、長手方向から見たフィルム引き出し口の幅を一部を除いてできるだけ狭めることで、掻き上げられたフィルムが狭められた開口部越しに露出したロール上に橋渡し状となって、固着できないようにしたものである。また、サイドキャップを外殻部とバヨネット盤に２分することで、幅狭と幅広の貫通孔を断面形状コの字形の切り欠きとして構成することを可能とし、成型と組み立てをしやすくしたものであり、片面に適切な厚みを持たせることでバヨネット盤にスペーサーとしての機能を兼ねさせ、小突起状の粘着部で固定して直立させることで掻き上げられたフィルムの切り口をつまみ取りやすくしたものである。
【図面の簡単な説明】
【００１２】
【図１】本発明のフィルム引き出し口の実施形態を示す斜視図。
【図２】同サイドキャップの実施形態を示す斜視図。
【図３】（ａ）同本体の前面を示す斜視図  （ｂ）同背面を示す斜視図。
【図４】（ａ）同内側から見たサイドキャップの構成を示す斜視図。（ｂ）同外側から見たサイドキャップの構成を示す斜視図。
【図５】従来のフィルム引き出し口と中折れ式蓋体裏面を示す斜視図。
【図６】同サイドキャップを示す斜視図。
【図７】（ａ）同本体の前面を示す斜視図。（ｂ）同背面を示す斜視図。
【図８】同内側から見たサイドキャップの構成を示す斜視図。
【発明を実施するための形態】
【実施例】
【００１３】  以下、本発明の実施の形態を図１〜図４に基づいて説明する。【００１４】  図において、３は本発明のフィルム引き出し口である。長手方向から見たその幅は、蓋体牽引部４３と中折れ部丁番４９の抵触する奥側の縁が円弧状に切り欠かれた３個所を除いてできるだけ狭められ、蓋体開閉時、エプロン部４０に掻き上げられたフィルム切り口が、狭められた開口部越しに、露出度を縮小されたロール上で橋渡し状態となるようになっている。【００１５】  ２８は本発明のサイドキャップの外殻部で、従来のサイドキャップ２０′からバヨネットリング２２′の部分を切り取ったような形状をなし、残された円環部２１の頂点と底辺には、従来同様幅狭の開口部２５ａと幅広の開口部２５ｂが形成されているが、それらは貫通孔ではなく断面形状コの字形の切り欠きとなっている。そのため、本発明の円環部２１は、左右相称の円弧状突起が、幅狭と幅広の間隔をおいて、向き合う形となっている。また、その表面の適切な位置には、ホゾ穴１６が１個ずつ設けてあり、円環部中心には回転軸２４が形成され、幅狭の開口部２５ａの延長上にある外殻裏面の外縁部には、従来通り、ロックレバー２６の先端部が一時的に待避する、断面形状コの字形の切り欠き２７が設けられている。【００１６】  ２９は本発明のバヨネット盤で、外周上のバヨネット爪２３を除く円盤部は、上記円環部２１と同径をなし、中心部には、上記回転軸２４に嵌め込まれたロックレバー２６とフレキシブル丁番３０のがたつきを押さえるための、わずかな出っ張りと該回転軸２４が貫通する軸穴１８を同心に設けている。また、上記ホゾ穴１６に対向する位置には、外殻部２８とバヨネット盤２９を合体させるためのホゾ１５を２個形成し、円盤部裏面にはスペーサー機能を兼ねさせるための厚みが加えられている。【００１７】  １３は本発明の粘着部で、ウレタンゴムなどの粘着力の強い素材からなる直径５ミリ厚さ１〜２ミリ程度の半球形又は円盤形の小突起状をなし、フィルム引き出し口３前縁中央部の円弧状切り欠きを挟んでその両側に取り付けられている。【００１８】    以下、上記構成の動作を説明する。【００１９】  蓋体開閉時、エプロン部４０に掻き上げられたフィルム切り口は、狭められた引き出し口３開口部上で橋渡し状態となり、故意に押し込まない限り、露出度を縮小されたロールに接触できなくなる。【００２０】  外殻部２８の円環部２１に設けられる幅狭と幅広の開口部２５ａ、２５ｂは、断面形状コの字形の切り欠きとして成型され、別体として設けられたバヨネット盤２９と合体することによって、断面形状コの字型の切り欠きの開いていた口を塞がれて、断面形状ロの字型の貫通孔となる。【００２１】  片面に適度の厚みを持たせられたバヨネット盤２９は、収納されたロールのがたつきを必要十分に制御するスペーサーとして機能し、従来の回転圧板３５′を無用のものとする。【００２２】  フィルム引き出し口前縁の円弧状切り欠きの両側に設けられた小突起状の粘着部１３は、引き出されたフィルムを点的に粘着し、掻き上げられた切り口の中央をほぼ鉛直に直立させて、つまみ取りやすくする。
【符号の説明】
【００２３】    １  本体
３  フィルム引き出し口
１３  粘着部
２０  サイドキャップ
２１  円環部
２５ａ  幅狭の開口部
２５ｂ  幅広の開口部
２６  ロックレバー
２７  ロックレバー一時待避用切り欠き
２９  バヨネット盤
３０  フレキシブル丁番
４０  エプロン部
４３  蓋体牽引部
４９  中折れ部丁番
１′  従来の本体
３′  同フィルム引き出し口
２０′  同サイドキャップ
２１′  同円環部
２２′  同バヨネットリング
２５ａ′  同幅狭の開口部
２５ｂ′  同幅広の開口部
３５′  同回転圧板
【図１】
2013193792.tif 000003
【図２】
2013193792.tif 000004
【図３】
2013193792.tif 000005
【図４】
2013193792.tif 000006
【図５】
2013193792.tif 000007
【図６】
2013193792.tif 000008
【図７】
2013193792.tif 000009
【図８】
2013193792.tif 000010
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
巻回された食品包装用ラップフィルムを回転自在に収納する円筒状本体（１′）の上面と前面をエプロン部（４０′）と曲面体からなる中折れ式蓋体（４７′）で開閉自在に覆い、両端を回転圧板（３５′）を有するバヨネット式のサイドキャップ（２０′）で開閉自在に閉じ、焼き入れリボンの切片からなるＡＢ対をなす切断具の切断具Ａ（５０ａ′）をＸ字状に形成してエプロン部（４０′）裏面に、切断具Ｂ（５０ｂ′）を横一直線状に形成して本体（１′）前面上部の曲面部に設け、上記中折れ式蓋体（４７′）を介して切断具Ａ（５０ａ′）をその回転方向と回転半径を変化させながら回動させることによって、対向して噛み合う切断具ＡＢ（５０ａ′、５０ｂ′）の稜角同士を連続して点的に接触させ、以て、両者間に引き出されたフィルムを挟み切ることを特徴とする食品包装用ラップフィルム用の詰替容器（特許文献１参照）において、長手方向から見たフィルム引き出し口（３）の幅を蓋体牽引部（４３）と中折れ部丁番（４９）の抵触する部分を除いてできるだけ狭め、従来の回転圧板（３５′）を廃してサイドキャップ（２０）を外殻部（２８）とバヨネット盤（２９）に２分して成型し、該バヨネット盤（２９）の片面に適度の厚みを持たせてスペーサーを兼ねさせ、フィルム引き出し口（３）前縁中央の円弧状切り欠きの両側に小突起状の粘着部（１３）を設けてなる食品包装用ラップフィルム用の詰替容器。